(57)【要約】【課題】外側電装基板を外したときに、ハーネスが基板に付いたままでも、内側の装置板金に仮止めして吊るしておくことが可能となり、内側の基板のメンテナンスの作業性を改善することができる電装ユニットを提供することにある。【解決手段】複数の電装基板ユニットＢ、Ｃをボックス型に構成してなる電装ユニットＡにおいて、基板１０、１３を固定する板金部材１５、１６が内側と外側に分解できるように構成され、前記外側の板金部材１６に、これを外したさいに前記内側の板金部材１５に引っ掛けておける形状部分１６ａを有している。【選択図】        図１
2004361548.tif 000002
【特許請求の範囲】
【請求項１】
複数の電装基板ユニットをボックス型に構成してなる電装ユニットにおいて、基板を固定する板金部材が内側と外側に分解できるように構成され、前記外側の板金部材に、これを外したさいに前記内側の板金部材に引っ掛けておける形状部分を有していることを特徴とする電装ユニット。
【請求項２】
前記外側の板金部材に設ける引っ掛け形状部分をヒンジ形状部分で構成していることを特徴とする請求項１記載の電装ユニット。
【請求項３】
前記外側基板ユニットの基板に接続されるすべてのハーネス経路が、前記外側基板ユニットの前記板金部材に設けた引っ掛け形状部を有している方向からの経路に統一されていることを特徴とする請求項１または２のいずれか１項記載の電装ユニット。
【発明の詳細な説明】
【０００１】
【発明の属する技術分野】
本発明は、複写機、プリンタ等の画像形成装置に使用する電装ユニットに関するものである。
【０００２】
【従来の技術】
画像形成装置の定着装置と電装装置の配置に関する開示は知られており（例えば、特許文献１参照）、また、電装基板の固定方法に関する開示も知られており（例えば、特許文献２参照）、さらに、挿脱可能な電装ユニット構成も知られている（例えば、特許文献３参照）。
【０００３】
特許文献１は電装装置そのものの構成に関するものではなく、また、特許文献２は電装基板の低音効果を目的とした電装基板の固定方法に関するものであり、基板のメンテナンス性を考慮した電装ユニットの構成に関するものではなく、さらに、特許文献３は挿脱可能な電装ユニット構成であることを特徴としている。
【０００４】
【特許文献１】
特開２００２−２３４３９号公報
【特許文献２】
特開２００２−５７４７５号公報
【特許文献３】
特開２００２−１８５１５４号公報
【０００５】
【発明が解決しようとする課題】
図３は従来のボックス型電装ユニットを示す分解斜視図である。図３に示すように、複数の電装基板１、２、３とそれを固定する板金部材４、５、６をボックス型に構成した電装ユニットでは、装置内の基板をメンテナンスするさい、外側の基板を取り外すことになる。
【０００６】
そのさい外側基板３に接続されたハーネス７を付けたままだと、取り外した基板３をハーネス７で吊るした状態で作業することになり、ハーネス７の損傷や接続不良を引き起こす原因になる。
【０００７】
しかしながら、外側基板３を完全に分離するためにすべてのハーネス７を基板３から外すという作業は、メンテナンスの作業効率を低下させる原因となってしまう。
【０００８】
そこで本発明の目的は、上記の問題点を解決するために、外側電装基板を外したときに、ハーネスが基板に付いたままでも、内側の装置板金に仮止めして吊るしておくことが可能となり、内側の基板のメンテナンスの作業性を改善することができる電装ユニットを提供することにある。
【０００９】
【課題を解決するための手段】
前記の課題を解決するために、請求項１記載の発明では、複数の電装基板ユニットをボックス型に構成してなる電装ユニットにおいて、基板を固定する板金部材が内側と外側に分解できるように構成され、前記外側の板金部材に、これを外したさいに前記内側の板金部材に引っ掛けておける形状部分を有している電装ユニットを最も主要な特徴とする。
【００１０】
請求項２記載の発明では、前記外側の板金部材に設ける引っ掛け形状部分をヒンジ形状部分で構成している請求項１記載の電装ユニットを主要な特徴とする。
【００１１】
請求項３記載の発明では、前記外側基板ユニットの基板に接続されるすべてのハーネス経路が、前記外側基板ユニットの前記板金部材に設けた引っ掛け形状部を有している方向からの経路に統一されている請求項１または２のいずれか１項記載の電装ユニットを主要な特徴とする。
【００１２】
【発明の実施の形態】
以下、図面により本発明の実施の形態を詳細に説明する。図１は本発明による電装ユニットの第１の実施の形態を示す分解斜視図である。図１において、ボックス型構成を有する電装ユニットＡの内側基板ユニットＣを構成する板金部材１５に引っ掛け用の穴１５ａを設ける。
【００１３】
外側基板ユニットＢを構成する板金部材１６の端部に図のような引っ掛け用のツメ１６ｂを設ける。メンテナンス作業時に外側基板１３を取り外したさい、板金部材１６に設けたツメ１６ｂを板金部材１５に設けた穴１５ａに引っ掛ける。
【００１４】
板金部材に設ける引っ掛け形状部をヒンジ型の構成とすることで、ハーネス１７を付着したままで外側基板が開閉可能となり、メンテナンス時の作業性が改善される。
【００１５】
図２は本発明による電装ユニットの第２の実施の形態を示す分解斜視図である。
電装ユニットＡの内側基板ユニットＣを構成している板金部材１５に図の様な突起部１５ｃを設ける。
【００１６】
電装ユニットＡの外側基板ユニットＢを構成する板金部材１６の端部に、図のような穴つきの曲げ部１６ｄを設け、曲げ部１６ｄに設けられている穴に、板金部材１５に設けた突起部１５ｃを差し込むようにして引っ掛け、取り付ける。
【００１７】
この構成により、外側基板ユニットＢの板金部材１６は引っ掛け部を軸にした回転運動が可能となり、外側基板ユニットＢが開閉可能な電装ユニットを構成することができる。
【００１８】
図示しない画像形成装置本体に取り付けられる電装ユニットで、複数の電装基板ユニットをボックス型に構成させたもので、それらを固定する板金部材が内側と外側に分解できるよう構成されており、外側の板金部材を外したさいに、内側の板金部材に引っ掛けておける形状部分を有し、この形状部分をヒンジ形状で構成している。
【００１９】
前記の電装ユニットを有する画像形成装置において、外側基板ユニットＢの基板１３に接続するすべてのハーネス１７の経路を、板金部材１６の引っ掛け形状部を設けたｘ方向からに統一させるように構成する。これにより、外側基板ユニットＢを内側基板ユニットＣの板金部材１５に引っ掛けている状態でも、ハーネス１７を１つも外す必要がなくなる。
【００２０】
外側基板ユニットＢを外すさい、基板１３に接続されるハーネス７を１つも取り外すことなく内側基板ユニットＣの装置板金１５に止めておけるため、メンテナンス時の作業性が改善される。
【００２１】
【発明の効果】
以上説明したように、請求項１によれば、ボックス型構成をした電装ユニットの外側基板装置を外して中の基板にアクセスするさい、外した基板にハーネスが付いていても、基板装置を内側装置の板金部材に仮止めした状態で作業ができるので、メンテナンスの作業効率を改善することができる。
【００２２】
請求項２によれば、電装ユニットの外側基板ユニットが開閉可能な構成となり、ユニット内の基板へのアクセスが容易になる。
【００２３】
請求項３によれば、電装ユニットの外側基板ユニットを外して内側基板ユニットに仮止めした状態でも、外した基板のハーネスを１つも外す必要がないため、ユニット内のメンテナンス作業の効率が改善される。
【図面の簡単な説明】
【図１】本発明による電装ユニットの第１の実施の形態を示す分解斜視図である。
【図２】本発明による電装ユニットの第２の実施の形態を示す分解斜視図である。
【図３】従来のボックス型電装ユニットを示す分解斜視図である。
【符号の説明】
Ａ  電装ユニット
Ｂ  外側基板ユニット
Ｃ  内側基板ユニット
１０  基板
１３  基板
１５  内側板金部材
１６  外側板金部材
１６ａ  引っ掛け形状部分（ツメ）
１６ｄ  曲げ部（ヒンジ形状部分）
【図１】
2004361548.tif 000003
【図２】
2004361548.tif 000004
【図３】
2004361548.tif 000005